(57)【要約】【課題】ユーザ自らに情報を入力させることなく、各ユーザの心理特性に応じた情報を提示する情報提示装置、プログラム及び方法を提供する。【解決手段】情報提示装置は、複数の提示情報を予め登録した提示情報テーブルと、当該ユーザの行動に基づく時系列位置を記憶する行動履歴記憶手段と、行動履歴記憶手段を用いて、当該ユーザが一連の同一行動をとる定常的時系列位置を検出する定常的時系列位置検出手段と、提示情報テーブルの中から任意の提示情報を提示する情報提示手段と、当該ユーザについて、定常的時系列位置と、提示情報の提示後における時系列位置とを比較して、行動変容が有った否かを判定する行動変容判定手段とを有する。【選択図】図３
2020149251.tif 000002
【特許請求の範囲】
【請求項１】
ユーザに対して提示情報を提示する情報提示装置であって、
複数の提示情報を予め登録した提示情報テーブルと、
当該ユーザの行動に基づく時系列位置を記憶する行動履歴記憶手段と、
前記行動履歴記憶手段を用いて、当該ユーザが一連の同一行動をとる定常的時系列位置を検出する定常的時系列位置検出手段と、
前記提示情報テーブルの中から任意の提示情報を提示する情報提示手段と、
当該ユーザについて、前記定常的時系列位置と、前記提示情報の提示後における時系列位置とを比較して、行動変容が有った否かを判定する行動変容判定手段と
を有することを特徴とする情報提示装置。
【請求項２】
前記情報提示手段は、当該ユーザが前記定常的時系列位置における開始位置へ現に移動したタイミングで、又は、当該ユーザの行動中の任意のタイミングで、前記提示情報を提示する
ことを特徴とする請求項１に記載の情報提示装置。
【請求項３】
前記提示情報テーブルは、提示情報毎に、異なる心理特性となる複数の心理フラグを付与しており、
当該ユーザにおける定常的時系列位置毎に、前記行動変容判定手段における判定結果を、一定期間蓄積する行動変容蓄積手段と、
前記行動変容蓄積手段を用いて、行動変容有りと判定された１つ以上の提示情報から、心理フラグ毎の回数を抽出する心理フラグ抽出手段と、
当該ユーザにおける当該定常的時系列位置毎に、前記心理フラグ抽出手段によって抽出された回数が最多となる心理フラグが、行動変容を促したものと推定する心理特性推定手段と
を更に有することを特徴とする請求項１又は２に記載の情報提示装置。
【請求項４】
前記行動変容蓄積手段は、ユーザ毎に且つ定常的時系列位置毎に、前記行動変容判定手段における判定結果を、一定期間蓄積し、
前記情報提示手段は、「ユーザ毎」に、「定常的時系列位置毎」に、又は、「ユーザ及び定常的時系列位置の組」毎に、最多となる心理フラグに基づく提示情報を提示する
を更に有することを特徴とする請求項３に記載の情報提示装置。
【請求項５】
前記行動履歴記憶手段は、ユーザが所持した携帯端末から、地図位置を時系列に収集したものであり、
ユーザの行動に基づく前記時系列位置とは、地図上の時系列位置である
ことを特徴とする請求項１から４のいずれか１項に記載の情報提示装置。
【請求項６】
前記定常的時系列位置は、定常的に走行している道路区間であり、
前記提示情報は、定常的に走行している道路区間から、予め登録した迂回道路区間へ走行を促す情報である
ことを特徴とする請求項５に記載の情報提示装置。
【請求項７】
前記時系列位置は、道路走行時の車両を運転しているユーザの携帯端末から収集されるものであり、
前記提示情報は、定常的に走行している道路区間に、工事又は通行止めが発生した際に、当該ユーザに提示すべき情報である
ことを特徴とする請求項６に記載の情報提示装置。
【請求項８】
前記行動履歴記憶手段は、ユーザが操作した端末から、操作位置又はアクセスサイトを時系列に収集したものであり、
ユーザの行動に基づく前記時系列位置とは、操作位置又はアクセスサイトの時系列位置である
ことを特徴とする請求項１から４のいずれか１項に記載の情報提示装置。
【請求項９】
前記定常的時系列位置は、定常的に操作している一連操作であり、
前記提示情報は、定常的に操作している一連操作から、予め登録した迂回操作順序へ促す情報である
ことを特徴とする請求項８に記載の情報提示装置。
【請求項１０】
ユーザに対して提示情報を提示する装置に搭載されたコンピュータを機能させるプログラムであって、
複数の提示情報を予め登録した提示情報テーブルと、
当該ユーザの行動に基づく時系列位置を記憶する行動履歴記憶手段と、
前記行動履歴記憶手段を用いて、当該ユーザが一連の同一行動をとる定常的時系列位置を検出する定常的時系列位置検出手段と、
前記提示情報テーブルの中から任意の提示情報を提示する情報提示手段と、
当該ユーザについて、前記定常的時系列位置と、前記提示情報の提示後における時系列位置とを比較して、行動変容が有った否かを判定する行動変容判定手段と
してコンピュータを機能させることを特徴とするプログラム。
【請求項１１】
ユーザに対して提示情報を提示する装置の情報提示方法であって、
前記装置は、
複数の提示情報を予め登録した提示情報テーブルと、
当該ユーザの行動に基づく時系列位置を記憶する行動履歴記憶手段と
を有し、
前記装置は、
前記行動履歴記憶手段を用いて、当該ユーザが一連の同一行動をとる定常的時系列位置を検出する第１のステップと、
前記提示情報テーブルの中から任意の提示情報を提示する第２のステップと、
当該ユーザについて、前記定常的時系列位置と、前記提示情報の提示後における時系列位置とを比較して、行動変容が有った否かを判定する第３のステップと
を実行することを特徴とする装置の情報提示方法。
【発明の詳細な説明】
【技術分野】
【０００１】
本発明は、ユーザの定常的行動に対して情報を提示する技術に関する。
【背景技術】
【０００２】
対象者（例えば生徒）の行動に介入する介入者（例えば教師）に対して、効果的な介入情報を提示する技術がある（例えば特許文献１参照）。この技術によれば、介入者の行動情報に対する信頼度を算出すると共に、対象者の行動に対する介入者の介入効果を分析する。信頼度が閾値以上となる介入者の行動情報とその介入効果とに基づいて、介入者に対して、対象者の行動に介入すべき情報を提示する。
【０００３】
また、ユーザ特性（例えば心理的特性等）に基づいて商品を選択すると共に、そのユーザに訴えるセールストークや製品説明を含む広告情報を提供する技術がある（例えば特許文献２参照）。この技術によれば、ユーザ毎に、予め心理テストを受けてもらい、心理特性を分類する。また、商品毎に、各心理特性に応じたキャッチフレーズを用意する。その上で、ユーザ毎に、その心理特性に応じたキャッチフレーズを含む広告情報を提示する。その後、提示された広告情報に対してユーザがアクセス又は購入をした場合、そのログが蓄積される。広告情報に反応があったユーザの心理特性を平均化することで、広告情報の提示に反応するユーザ特性を分析することができる。
【先行技術文献】
【特許文献】
【０００４】
【特許文献１】特開２０１８−０２６０１４号公報
【特許文献２】再公表特許ＷＯ０１／０６７３１９
【発明の概要】
【発明が解決しようとする課題】
【０００５】
しかしながら、特許文献１によれば、対象者の目標行動と介入者の行動情報とを、予め手動で入力する必要がある。また、対象者の目標行動の達成度は、介入者の主観に基づくものであって、介入行動の効果が曖昧とならざるを得ない。
また、特許文献２によれば、ユーザが心理特性のアンケートに事前に回答する必要がある。即ち、アンケートに回答せず、心理特性が不明なユーザに対しては、最適な広告情報を提示することできない。
このように、前述した従来技術はいずれも、ユーザ自ら、行動情報や心理特性を予め入力する必要がある。
【０００６】
そこで、本発明は、ユーザに予め回答させることなく、各ユーザの心理特性に応じた情報を提示することができる情報提示装置、プログラム及び方法を提供することを目的とする。
【課題を解決するための手段】
【０００７】
本発明によれば、ユーザに対して提示情報を提示する情報提示装置であって、
複数の提示情報を予め登録した提示情報テーブルと、
当該ユーザの行動に基づく時系列位置を記憶する行動履歴記憶手段と、
行動履歴記憶手段を用いて、当該ユーザが一連の同一行動をとる定常的時系列位置を検出する定常的時系列位置検出手段と、
提示情報テーブルの中から任意の提示情報を提示する情報提示手段と、
当該ユーザについて、定常的時系列位置と、提示情報の提示後における時系列位置とを比較して、行動変容が有った否かを判定する行動変容判定手段と
を有することを特徴とする。
【０００８】
本発明の情報提供装置における他の実施形態によれば、
情報提示手段は、当該ユーザが定常的時系列位置における開始位置へ現に移動したタイミングで、又は、当該ユーザの行動中の任意のタイミングで、提示情報を提示することも好ましい。
【０００９】
本発明の情報提供装置における他の実施形態によれば、
提示情報テーブルは、提示情報毎に、異なる心理特性となる複数の心理フラグを付与しており、
当該ユーザにおける定常的時系列位置毎に、行動変容判定手段における判定結果を、一定期間蓄積する行動変容蓄積手段と、
行動変容蓄積手段を用いて、行動変容有りと判定された１つ以上の提示情報から、心理フラグ毎の回数を抽出する心理フラグ抽出手段と、
当該ユーザにおける当該定常的時系列位置毎に、心理フラグ抽出手段によって抽出された回数が最多となる心理フラグが、行動変容を促したものと推定する心理特性推定手段と
を更に有することも好ましい。
【００１０】
本発明の情報提供装置における他の実施形態によれば、
行動変容蓄積手段は、ユーザ毎に且つ定常的時系列位置毎に、行動変容判定手段における判定結果を、一定期間蓄積し、
情報提示手段は、「ユーザ毎」に、「定常的時系列位置毎」に、又は、「ユーザ及び定常的時系列位置の組」毎に、最多となる心理フラグに基づく提示情報を提示する
を更に有することも好ましい。
【００１１】
本発明の情報提供装置における他の実施形態によれば、
行動履歴記憶手段は、ユーザが所持した携帯端末から、地図位置を時系列に収集したものであり、
ユーザの行動に基づく時系列位置とは、地図上の時系列位置である
ことも好ましい。
【００１２】
本発明の情報提供装置における他の実施形態によれば、
定常的時系列位置は、定常的に走行している道路区間であり、
提示情報は、定常的に走行している道路区間から、予め登録した迂回道路区間へ走行を促す情報であることも好ましい。
【００１３】
本発明の情報提供装置における他の実施形態によれば、
時系列位置は、道路走行時の車両を運転しているユーザの携帯端末から収集されるものであり、
提示情報は、定常的に走行している道路区間に、工事又は通行止めが発生した際に、当該ユーザに提示すべき情報であることも好ましい。
【００１４】
本発明の情報提供装置における他の実施形態によれば、
行動履歴記憶手段は、ユーザが操作した端末から、操作位置又はアクセスサイトを時系列に収集したものであり、
ユーザの行動に基づく時系列位置とは、操作位置又はアクセスサイトの時系列位置であることも好ましい。
【００１５】
本発明の情報提供装置における他の実施形態によれば、
定常的時系列位置は、定常的に操作している一連操作であり、
提示情報は、定常的に操作している一連操作から、予め登録した迂回操作順序へ促す情報であることも好ましい。
【００１６】
本発明によれば、ユーザに対して提示情報を提示する装置に搭載されたコンピュータを機能させるプログラムであって、
複数の提示情報を予め登録した提示情報テーブルと、
当該ユーザの行動に基づく時系列位置を記憶する行動履歴記憶手段と、
行動履歴記憶手段を用いて、当該ユーザが一連の同一行動をとる定常的時系列位置を検出する定常的時系列位置検出手段と、
提示情報テーブルの中から任意の提示情報を提示する情報提示手段と、
当該ユーザについて、定常的時系列位置と、提示情報の提示後における時系列位置とを比較して、行動変容が有った否かを判定する行動変容判定手段と
してコンピュータを機能させることを特徴とする。
【００１７】
本発明によれば、ユーザに対して提示情報を提示する装置の情報提示方法であって、
装置は、
複数の提示情報を予め登録した提示情報テーブルと、
当該ユーザの行動に基づく時系列位置を記憶する行動履歴記憶手段と
を有し、
装置は、
行動履歴記憶手段を用いて、当該ユーザが一連の同一行動をとる定常的時系列位置を検出する第１のステップと、
提示情報テーブルの中から任意の提示情報を提示する第２のステップと、
当該ユーザについて、定常的時系列位置と、提示情報の提示後における時系列位置とを比較して、行動変容が有った否かを判定する第３のステップと
を実行することを特徴とする。
【発明の効果】
【００１８】
本発明の情報提示装置、プログラム及び方法によれば、ユーザに予め回答させることなく、各ユーザの心理特性に応じた情報を提示することができる。
【図面の簡単な説明】
【００１９】
【図１】移動経路における定常的時系列位置と迂回時系列位置とを表す説明図である。
【図２】操作順序における定常的時系列位置と迂回時系列位置とを表す説明図である。
【図３】本発明における情報提示装置の機能構成図である。
【図４】本発明における行動履歴記憶部を表す説明図である。
【図５】本発明における定常的時系列位置検出部の処理を表す説明図である。
【図６】本発明における提示情報テーブルを表す説明図である。
【図７】本発明における行動変容判定部の処理を表す説明図である。
【図８】本発明における心理フラグ抽出部の処理を表す説明図である。
【図９】本発明における心理特定推定部の処理を表す説明図である。
【発明を実施するための形態】
【００２０】
以下、本発明の実施の形態について、図面を用いて詳細に説明する。
【００２１】
本発明の情報提示装置は、ユーザの定常的な時系列行動に対して、情報を提示することによって、その時系列行動を変容させようとするものである。
ここで、ユーザの定常的な時系列行動としては、例えば車両の＜移動経路＞に基づくものと、端末の＜操作順序＞に基づくものとがある。
移動経路の場合、定常的時系列位置として地図上位置（例えばメッシュＩＤや緯度経度）となる。
操作順序の場合、定常的時系列位置として端末の操作上位置（例えばアクセスしたＵＲＬや、タップしたアイコン・ボタン）となる。
【００２２】
＜移動経路に基づく定常的時系列位置＞
図１は、移動経路における定常的時系列位置と迂回時系列位置とを表す説明図である。
【００２３】
ユーザは、携帯端末を所持し、例えば自動車のような車両に搭乗しているとする。携帯端末は、定期的に位置情報を測位しており、本発明の情報提示装置は、携帯端末の位置情報を常に収集している。携帯端末における測位機能としては、端末ＧＰＳ(Global Positioning System)測位や基地局ＧＰＳ測位がある。
【００２４】
図１（ａ）によれば、情報提示装置は、携帯端末毎に、定常的時系列位置を導出する。ここで、定常的時系列位置は、その携帯端末を所持したユーザにとって、定常的な移動経路を意味する。定常的時系列位置は、例えば地図上のメッシュＩＤの時系列の配列パターンによって表される。例えば毎日、同一の配列パターンがある場合、そのユーザによって、その配列パターンの移動経路は、定常的であるといえる。
【００２５】
図１（ｂ）によれば、定常的時系列位置となる移動経路（道路区間）に、例えば工事中や通行止めのような交通障害が発生したとする。このような交通障害は、例えばＶＩＣＳ(登録商標、Vehicle Information and Communication System)情報やITS Connectなどの交通状況情報（渋滞や、交通規制など）から得られる。このような場合、情報提示装置は、ユーザに対して例えば情報「渋滞回避の裏道を教えます」を提示する。これによって、ユーザに対して、定常的時系列位置から行動変容（迂回）を促している。
【００２６】
情報「渋滞回避の裏道を教えます」の提示を受けた際に、移動経路を迂回道路へ変更するユーザもいれば、定常的な移動経路を変更しないユーザもいる。一方で、定常的な移動経路を変更しなかったユーザに対して、別の情報「○○がオススメする経路」を提示すると、移動経路を迂回道路へ変更するかもしれない。このような違いの一因として、各ユーザの心理特性の影響がある。各ユーザの心理特性と、その提示情報が与える心理特性との関係に応じて、定常的な移動経路を変容させるか否かが変わってくる。
【００２７】
＜操作順序に基づく定常的時系列位置＞
図２は、操作順序における定常的時系列位置と迂回時系列位置とを表す説明図である。
【００２８】
ユーザは、例えばデバイス（例えばポインティングデバイス）を用いて、端末を操作しているとする。端末は、ユーザ操作を時系列に取得しており、本発明の情報提示装置は、その操作順序を常に収集している。ユーザ操作としては、例えばアイコンやボタンに対する選択操作や、ブラウザを用いたＷｅｂサイトの閲覧操作がある。
【００２９】
図２（ａ）によれば、情報提示装置は、端末毎に、定常的時系列位置を導出する。ここで、定常的時系列位置は、その端末を操作するユーザにとって、定常的な操作順序を意味する。定常的時系列位置は、例えばアイコンやボタン、ＵＲＬの配列パターンによって表される。例えば毎日、同一の配列パターンがある場合、そのユーザにとって、その配列パターンの操作順序は、定常的であるといえる。
【００３０】
図２（ｂ）によれば、定常的時系列位置となる操作順序に、例えば別の操作（例えば広告情報の閲覧）をさせたいとする。このような場合、情報提示装置は、ユーザに対して例えば情報「クーポンを発行します」を提示する。これによって、ユーザに対して、定常的時系列位置から行動変容（迂回）を促している。
【００３１】
情報「クーポンを発行します」の提示を受けた際に、操作順序を迂回操作へ変更するユーザもいれば、定常的な操作順序を変更しないユーザもいる。一方で、定常的な操作順序を変更しなかったユーザに対して、別の情報「裏技操作方法」を提示すると、操作順序を迂回操作へ変更するかもしれない。このような違いの一因も、各ユーザの心理特性の影響がある。各ユーザの心理特性と、その提示情報が与える心理特性との関係に応じて、定常的な移動経路を変容させるか否かが変わってくる。
【００３２】
図３は、本発明における情報提示装置の機能構成図である。
【００３３】
情報提示装置１は、ユーザに対して提示情報を提示する。図１によれば、情報提示装置１は、行動履歴記憶部１０と、定常的時系列位置検出部１１と、提示情報テーブル１２と、情報提示部１３と、行動変容判定部１４と、行動変容蓄積部１５と、心理フラグ抽出部１６と、心理特性推定部１７とを有する。これら機能構成部は、装置に搭載されたコンピュータを機能させるプログラムを実行することによって実現される。また、これら機能構成部の処理の流れは、装置の情報提示方法としても理解できる。
【００３４】
［行動履歴記憶部１０］
行動履歴記憶部１０は、当該ユーザの行動に基づく時系列位置を記憶する。「時系列位置」とは、移動経路に基づく地図位置（例えばメッシュＩＤ）の配列パターンであってもよい。また、操作順序に基づく操作位置（例えばアイコン・ボタンやＵＲＬ）の配列パターンであってもよい。
尚、以下では、ユーザの行動に基づく時系列位置は、移動経路に基づく地図上のメッシュＩＤであるとして説明する。
【００３５】
図４は、本発明における行動履歴記憶部を表す説明図である。
【００３６】
図４（ａ）によれば、行動履歴記憶部１０は、端末ＩＤ毎に、時系列（例えば日時刻順）の通信レコードを記憶する。通信レコードとしては、移動経路の場合、例えばメッシュＩＤ、基地局ＩＤ、緯度経度又は搭乗移動体であってもよい。
日時刻      ：端末から受信した日時刻
メッシュＩＤ：端末の位置に基づく地図上メッシュのＩＤ
基地局ＩＤ  ：端末が位置に基づく捕捉している基地局のＩＤ
緯度経度    ：端末のＧＰＳ測位によって取得された位置情報
搭乗移動体  ：端末を所持するユーザが搭乗している移動体（例えば自動車）
【００３７】
図４（ｂ）によれば、端末ＩＤ毎に、時間帯（例えば日単位）で、地図上のメッシュＩＤを時系列に並べた配列パターンを表す。メッシュＩＤの配列パターンは、その端末の移動経路を表すこととなる。
【００３８】
図５は、本発明における定常的時系列位置検出部の処理を表す説明図である。
【００３９】
［定常的時系列位置検出部１１］
定常的時系列位置検出部１１は、行動履歴記憶部１０を用いて、当該ユーザが一連の同一行動をとる定常的時系列位置（定常的な配列パターン）を検出する。
時系列位置が移動経路である場合、定常的時系列位置は、定常的に走行している道路区間である。また、時系列位置が操作順序である場合、定常的時系列位置は、定常的に操作している一連操作である。
【００４０】
定常的時系列位置検出部１１は、端末ＩＤ毎に、複数回出現している配列パターンを検出する。その検出にあたり、例えば以下のようなパラメータを設定する。
抽出期間          ：任意の期間（例えば１ヶ月）
定常判定回数      ：定常的時系列位置の配列パターンの発生回数（例えば５回）
定常メッシュＩＤ数：定常的時系列位置の位置数（例えばメッシュ数＝４）
【００４１】
その上で、定常的時系列位置検出部１１は、以下のステップを実行する。
（Ｓ１）図５（ａ）は、端末ＩＤ毎に、抽出期間（例えば１ヶ月）における地図上のメッシュＩＤの配列パターン（端末の移動経路）を抽出し、日単位で並べる。
（Ｓ２）次に、最初のメッシュＩＤから順に、定常メッシュＩＤ数（例えば４個）だけを抽出する。図５（ａ１）によれば、最初に、配列パターン[52385764, 52385765, 52385768, 52385770]が抽出されている。
（Ｓ３）次に、図５（ｂ）によれば、Ｓ２で抽出された配列パターン[52385764, 52385765, 52385768, 52385770]を含む配列パターンを抽出する。これによって、配列パターン[52385764, 52385765, 52385768, 52385770]が発生する回数を抽出する。
（Ｓ４）定常判定回数５回以上発生した場合、この配列パターン[52385764, 52385765, 52385768, 52385770]は、定常的時系列位置であると判定される。
（Ｓ５）次に、配列パターンの開始位置を１つだけシフトさせる。図５（ａ２）によれば、配列パターン[52385765, 52385768, 52385770, 52385775］が抽出されている。そして、Ｓ３へ戻って、発生回数を抽出する。
【００４２】
このように、抽出期間の全てのメッシュＩＤの配列パターンについて処理を実行する。
尚、Ｓ５で、メッシュＩＤの配列パターンを１つずつシフトさせていく中で、過去に既に定常的時系列位置と判定されたメッシュＩＤの配列パターンは、処理済みとして無視し、更に配列パターンを１つシフトさせる。
一方で、過去に定常的時系列位置と判定されたメッシュＩＤの配列パターンがなければ、Ｓ３へ戻る。
【００４３】
［提示情報テーブル１２］
提示情報テーブル１２は、複数の提示情報を予め登録したものである。
【００４４】
図６は、本発明における提示情報テーブルを表す説明図である。
【００４５】
移動経路の場合、提示情報は、定常的に走行している道路区間から、定常的時系列位置の開始位置及び終了位置が一致する迂回道路区間へ走行を促す情報である。
また、操作順序の場合、提示情報は、定常的に操作している一連操作から、定常的時系列位置の開始位置及び終了位置が一致する他の一連操作へ促す情報である。
【００４６】
図６によれば、提示情報テーブル１２には、提示情報毎に、異なる心理特性となる複数の心理フラグが付与されている。
例えば提示情報「渋滞回避の裏道を教えます」には、心理ＩＤ[T1]が付与されており、その心理ＩＤ[T1]には心理フラグ「希少性」に[1]が立っている。
また、例えば提示情報「○○がオススメする経路」には、心理ＩＤ[T2]が付与されており、その心理ＩＤ[T2]には心理フラグ「権威」に[1]が立っている。
更に、例えば提示情報「割引券を贈呈」には、心理ＩＤ[T3]が付与されており、その心理ＩＤ[T3]には心理フラグ「報酬」に[1]が立っている。
更に、例えば提示情報「裏技操作方法」には、心理ＩＤ[T1]が付与されており、その心理ＩＤ[T1]には心理フラグ「希少性」に[1]が立っている。
更に、例えば提示情報「クーポン発行」には、心理ＩＤ[T3]が付与されており、その心理ＩＤ[T3]には心理フラグ「報酬」に[1]が立っている。
勿論、１つの心理ＩＤに対して複数の心理フラグに[1]が立っていてもよいし、心理の強度に応じて例えば[1]〜[10]のフラグが立っていてもよい。
【００４７】
［情報提示部１３］
情報提示部１３は、提示情報テーブル１２の中から任意の提示情報を提示する。
ここで、情報提示部１３は、例えば以下のタイミングで提示情報を提示する。
（１）当該ユーザが定常的時系列位置における開始位置へ現に移動したタイミング
（２）当該ユーザの行動中の任意のタイミング
「開始位置」とは、例えば移動経路を定常的時系列位置から迂回させたい場合に、迂回の分岐となる位置である。この開始位置で、任意の提示情報をユーザに提示し、行動変容（移動経路の迂回）を試みることとなる。
【００４８】
情報提示部１３は、定常的時系列位置の配列パターン（例えば工事中の道路区間を含む）と、それに対する迂回時系列位置の配列パターンとを予め登録したものであってもよい。迂回時系列位置の開始位置が、定常的時系列位置の配列パターンに含まれる場合、その開始位置で、任意の提示情報をユーザへ提示する。
迂回時系列位置（迂回する道路区間）は、定常的時系列位置の開始位置及び終了位置と一致するものであってもよいし、必ずしも一致しなくてもよい（広域迂回等）。移動経路の場合、工事区間に応じて迂回経路を設定するものであってもよい。
【００４９】
情報提示部１３は、最初は、異なる心理ＩＤとなる提示情報をランダムに、ユーザに提示する。その後、心理特性推定部１７からユーザ毎の心理特性が出力された際に、情報提示部１３は、そのユーザに応じた心理ＩＤとなる提示情報を選択するようになる。
【００５０】
［行動変容判定部１４］
行動変容判定部１４は、当該ユーザについて、定常的時系列位置と、提示情報の提示後における時系列位置とを比較して、行動変容（介入効果）が有った否かを判定する。
【００５１】
前述した図１によれば、地図メッシュＩＤ52385764の位置で、情報「渋滞回避の裏道を教えます」がユーザに提示されている。その後、ユーザの位置が、地図メッシュＩＤ52385760へ移動している場合、定常的時系列位置の地図メッシュＩＤ52385765とは異なって、移動経路を迂回したと判定することができる。即ち、提示情報がユーザに与えた心理的効果によって、定常的時系列位置から、行動が変容したと判定することができる。
【００５２】
行動変容判定部１４は、情報提示部１３に予め登録された迂回時系列位置の配列パターンが、行動履歴記憶部１０における当該ユーザの移動経路（地図メッシュＩＤの配列パターン）に含まれる場合、行動変容有り（介入効果有り）と判定するものであってもよい。
一方で、迂回時系列位置の配列パターンが、行動履歴記憶部１０における当該ユーザの移動経路（地図メッシュＩＤの配列パターン）に含まれない場合、行動変容無し（介入効果無し）と判定するものであってもよい。
【００５３】
図７は、本発明における行動変容判定部の処理を表す説明図である。
【００５４】
図７によれば、特定のユーザの端末ＩＤ(ABC)に対して、地図メッシュＩＤ[52385764]の位置で、提示情報D1,D2,D3をそれぞれ提示している。
提示情報D1を提示した後、端末ＩＤの移動経路となる地図メッシュＩＤの配列パターンが変容している。この場合、行動変容有りと判定される。
提示情報D2を提示した後、端末ＩＤの移動経路となる地図メッシュＩＤの配列パターンは変容していない。この場合、行動変容無しと判定される。
提示情報D3を提示した後、端末ＩＤの移動経路となる地図メッシュＩＤの配列パターンは変容していない。この場合、行動変容無しと判定される。
【００５５】
［行動変容蓄積部１５］
行動変容蓄積部１５は、ユーザ毎に且つ定常的時系列位置毎に、行動変容判定部１４における判定結果を、一定期間蓄積する。
【００５６】
［心理フラグ抽出部１６］
心理フラグ抽出部１６は、行動変容蓄積部１５を用いて、行動変容有りと判定された１つ以上の提示情報から、心理フラグ毎の回数を抽出する。
【００５７】
図８は、本発明における心理フラグ抽出部の処理を表す説明図である。
【００５８】
図８によれば、端末ＩＤ毎に、各情報提示位置について、行動変容有りと判定された提示情報の心理フラグを対応付けたものである。この心理フラグの表を用いることによって、端末ＩＤ毎に、情報提示位置毎に、又は、端末ＩＤ及び情報提示位置の組毎に、合計値（集計値）を算出することができる。
【００５９】
［心理特性推定部１７］
心理特性推定部１７は、当該ユーザにおける当該定常的時系列位置毎に、心理フラグ抽出部１６によって抽出された回数が最多となる心理フラグが、行動変容を促したものと推定する。
【００６０】
図９は、本発明における心理特定推定部の処理を表す説明図である。
【００６１】
図９（ａ）によれば、端末ＩＤ（ユーザ）毎に、行動変容「有り」と判定された各心理フラグの発生回数の集計が記録されている。
図９（ｂ）によれば、定常的時系列位置の開始位置毎に、行動変容「有り」と判定された各心理フラグの発生回数の集計が記録されている。
図９（ｃ）によれば、端末ＩＤ（ユーザ）及び定常的時系列位置の開始位置の組毎に、行動変容「有り」と判定された各心理フラグの発生回数の集計が記録されている。
心理特性推定部１７は、推定結果を、情報提示部１３へ出力する。
【００６２】
前述した情報提示部１３は、心理特性推定部１７から推定結果を入力する。そして、情報提示部１３は、「ユーザ毎」に、「定常的時系列位置毎」に、又は、「ユーザ及び定常的時系列位置の組」毎に、最多となる心理フラグに基づく提示情報を提示する。
例えば、ユーザABCについて心理フラグ「希少性」が高い場合、そのユーザABCには、できる限り心理フラグ「希少性」が高い提示情報を提示する。
例えば、定常的時系列位置の開始位置について心理フラグ「報酬」が高い場合、その位置に出現したユーザには、できる限り心理フラグ「報酬」が高い提示情報を提示する。
【００６３】
以上、詳細に説明したように、本発明の情報提示装置、プログラム及び方法によれば、ユーザに予め回答させることなく、各ユーザの心理特性に応じた情報を提示することができる。
本発明によれば、行動変容のログが蓄積されるほど、ユーザ毎に及び／又は定常的時系列位置毎に、心理効果に沿った効果的な提示情報をユーザに提示することができる。
【００６４】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６５】
１  情報提示装置
１０  行動履歴記憶部
１１  定常的時系列位置検出部
１２  提示情報テーブル
１３  情報提示部
１４  行動変容判定部
１５  行動変容蓄積部
１６  心理フラグ抽出部
１７  心理特性推定部
２  携帯端末
【図１】
2020149251.tif 000003
【図２】
2020149251.tif 000004
【図３】
2020149251.tif 000005
【図４】
2020149251.tif 000006
【図５】
2020149251.tif 000007
【図６】
2020149251.tif 000008
【図７】
2020149251.tif 000009
【図８】
2020149251.tif 000010
【図９】
2020149251.tif 000011